(57)【要約】【課題】安価で作業効率の高い空気調和機の据付装置を提供すること。【解決手段】据付板１２は全体として室内機１１より面積が小さく、且つ左右方向及び上下方向の長さを室内機１１の長さに比して短くすると共に左右両端部における下部を切除して切り欠き部１５が夫々形成され、更にこの切り欠き部１５の上端部から上方に向かうに従って左右方向の長さが短くなるように斜辺１６が形成される。また、上下方向の位置決めをするためのマークＭＫ２をそれぞれ据付板１１の左右両端下部に付す。従って、室内機１１の冷媒管を据付板１１の左部から室外へ臨ませる場合には、据付板１の左部の斜辺１６の延長線Ｌ３とマークＭＫ２を通る横方向の線Ｌ４との交点ＫＴ２を見つけて、室内壁に印を付け、この交点ＫＴ２の位置の室内壁に配管穴を開設して、冷媒管をこの配管穴に差し込んで貫通させて室外へ臨ませる。【選択図】図１
2010014376.tif 000002
【特許請求の範囲】
【請求項１】
室内壁に取り付けられた据付板に分離型空気調和機の室内機を係止させると共に、この室内機に接続される冷媒管を前記室内壁の穴を貫通させる空気調和機の据付装置において、前記据付板の両側下部に夫々切り欠き部を形成すると共に前記据付板の両側辺は前記各切り欠き部の上端部から上方に行くに従って左右の長さが短くなるように斜辺を形成し、前記室内壁に前記穴を設けるために上下方向の位置決めをするためのマークをそれぞれ前記据付板の左右両端下部に設け、いずれかの前記斜辺の延長線と対応する前記マークを通る横方向の線との交点の位置を前記穴開設位置とすることを特徴とする空気調和機の据付装置。
【請求項２】
室内壁に取り付けられた据付板に分離型空気調和機の室内機を係止させると共に、この室内機に接続される冷媒管を前記室内壁の穴を貫通させる空気調和機の据付装置において、前記据付板の両側辺は下方に行くに従って左右の長さが長くなるように斜辺を形成すると共に、前記据付板の両側下部に夫々切り欠き部を形成し、前記室内壁に前記穴を設けるために上下方向の位置決めをするためのマークをそれぞれ前記据付板の左右両端下部に設け、いずれかの前記斜辺の延長線と対応する前記マークを通る横方向の線との交点の位置を前記穴開設位置とすることを特徴とする空気調和機の据付装置。
【発明の詳細な説明】
【技術分野】
【０００１】
本発明は、室内壁に取り付けられた据付板に分離型空気調和機の室内機を係止させると共に、この室内機と室外機とをつなぐ冷媒管を前記室内壁の穴を貫通させる空気調和機の据付装置に関する。
【背景技術】
【０００２】
従来、分離型空気調和機の室内機を係止する据付装置としては、一般に室内壁に据付板を固定し、この据付板に示されたマークを目印として配管穴を設けていた。そして、室内機をこの据付板に係止させると共に、この室内機と室外機とをつなぐ冷媒管を前記配管穴に差し込んで貫通させて室外へ臨ませていた。
【０００３】
しかしながら、近年据付板の小型化に伴い、配管穴を据付板よりも外方に設ける場合がある。即ち、従来例の図２に示すように、左右方向及び上下方向の長さを室内機の長さに比して短くすると共に左右両端部における下部を切除して、据付板１を小型化し、上下方向の位置決めをするためのマークＭＫ１をそれぞれ前記据付板１の左右両端部に付す。そして、冷媒管を据付板１の左部から室外へ臨ませる場合には、据付板１の左端部の上下方向に延びた延長線Ｌ１と前記マークＭＫ１を通る横方向（水平方向）の線Ｌ２との交点ＫＴ１から、左外方へ所定距離分離れた位置ＬＣを見つけ、室内壁のこの位置ＬＣに配管穴を設けて、冷媒管をこの配管穴にとおして貫通させて室外へ臨ませていた。
【０００４】
また、例えば特許文献１には、配管穴を示すための補助板を据付板に設けて、この補助板を根元から折り曲げて丸形部を据付板より外方へ突出させて、この丸形の孔に鉛筆を入れて壁に印を付けて、配管穴を設ける技術が知られている。
【特許文献１】特開昭６４−３４４３号公報
【発明の開示】
【発明が解決しようとする課題】
【０００５】
しかしながら、図２に示す従来例では、据付板１の左端部の延長線Ｌ１とマークＭＫ１を通る横方向の線Ｌ２との交点ＫＴ１から、左外方へ所定距離分離れた位置ＬＣを見つけるのに、計測しなければならず、甚だ面倒な作業となる。また、特許文献１に示す技術にあっては、複雑な補助板を使用しなければならず、高価なものとなっていた。
【０００６】
そこで本発明は、前述せる問題点に鑑み、安価で作業効率の高い空気調和機の据付装置を提供することを目的とする。
【課題を解決するための手段】
【０００７】
このため第１の発明は、室内壁に取り付けられた据付板に分離型空気調和機の室内機を係止させると共に、この室内機に接続される冷媒管を前記室内壁の穴を貫通させる空気調和機の据付装置において、前記据付板の両側下部に夫々切り欠き部を形成すると共に前記据付板の両側辺は前記各切り欠き部の上端部から上方に行くに従って左右の長さが短くなるように斜辺を形成し、前記室内壁に前記穴を設けるために上下方向の位置決めをするためのマークをそれぞれ前記据付板の左右両端下部に設け、いずれかの前記斜辺の延長線と対応する前記マークを通る横方向の線との交点の位置を前記穴開設位置とすることを特徴とする。
【０００８】
また第２の発明は、室内壁に取り付けられた据付板に分離型空気調和機の室内機を係止させると共に、この室内機に接続される冷媒管を前記室内壁の穴を貫通させる空気調和機の据付装置において、前記据付板の両側辺は下方に行くに従って左右の長さが長くなるように斜辺を形成すると共に、前記据付板の両側下部に夫々切り欠き部を形成し、前記室内壁に前記穴を設けるために上下方向の位置決めをするためのマークをそれぞれ前記据付板の左右両端下部に設け、いずれかの前記斜辺の延長線と対応する前記マークを通る横方向の線との交点の位置を前記穴開設位置とすることを特徴とする。
【発明の効果】
【０００９】
本発明によれば、冷媒管を貫通させる室内壁の穴を、安価で作業効率良く設けることができるようにした空気調和機の据付装置を提供するができる。
【発明を実施するための最良の形態】
【００１０】
以下、本発明を実施するための最良の形態について、図面を参照しながら説明する。先ず、図１において、二点鎖線で示す１１は分離型空気調和機の室内機の外形線で、上面に吸込み口及び前面に吹出し口が設けられ、また内部に熱交換器及び送風機が配設され、更に背面には据付用の係止片が複数設けられる。更に、室内機１１の冷媒管は背面下部の右側から背面に沿って左側へと導かれた後、後方へと延出している。
【００１１】
１２は前記室内機１１を支持する据付板で、前記据付用の係止片が係合する係合部１３が複数設けられると共に室内壁面等への固定のために多数の取付け孔１４が開設されている。
【００１２】
そして、この据付板１２は全体として前記室内機１１より面積が小さく、且つ左右方向及び上下方向の長さを室内機１１の長さに比して短くすると共に左右両端部における下部（両下隅部）を切除して切り欠き部１５が夫々形成され、更にこの切り欠き部１５の上端部から上方に向かうに従って左右方向の長さが短くなるように斜辺１６が形成されて、据付板１を小型化している。即ち、左右の両側辺は、下方に行くに従って左右方向の長さが長くなるように形成され、据付板１の左部の斜辺１６の延長線Ｌ３とマークＭＫ２を通る横方向（水平方向）の線Ｌ４とで成す角度は、鋭角で概ね７０度であるが、７０度に限らず、鋭角であれば足りる。
【００１３】
また、上下方向の位置決めをするためのマークＭＫ２をそれぞれ前記据付板１１の左右両端下部に付す。しかも、このマークＭＫ２の三角形の頂角が外水平方向を指すように、付されている。
【００１４】
従って、室内機１１の冷媒管を据付板１１の左部から室外へ臨ませる場合には、据付板１の左部の斜辺１６の延長線Ｌ３と前記マークＭＫ２を通る横方向（水平方向）の線Ｌ４との交点ＫＴ２を見つけて、室内壁に印を付ける。そして、据付板１１の左下外方に位置するこの印を付けた位置に配管穴を開設して、室外機につながれる冷媒管をこの配管穴に差し込んで室内壁を貫通させて室外へ臨ませる。
【００１５】
以上のような本発明によれば、配管穴を設ける位置を計測する必要も無いから、甚だ簡単な室内機の据付作業となる。しかも、特別な補助板などを使用する必要も無く、室内機と室外機とをつなぐ冷媒管の配管穴を開設することができ、安価で作業効率の高い空気調和機の据付装置を提供することができる。
【００１６】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００１７】
【図１】本発明の実施形態の空気調和機の据付板の正面図である。
【図２】従来例の空気調和機の据付板の正面図である。
【符号の説明】
【００１８】
１１              室内機
１２              据付板
１５              切り欠き部
１６              斜辺
ＭＫ２            マーク
ＫＴ２            交点
【図１】
2010014376.tif 000003
【図２】
2010014376.tif 000004